(57)【要約】【課題】長期保存食品に対応可能であって、複数の調理が必要な食品を扱える即席食品用容器を提供する。【解決手段】開口部５を有する容器本体１０と、この容器本体１０の内部に収容され、下方に貫通する切り込み２６が底部に形成されている内容器２０と、当該容器本体１０の開口部５に着脱可能に取り付けられる外蓋３０と、を備える即席食品用容器２において、前記外蓋３０と容器本体１０には、前記切り込みと接触する接触面を有し、この接触面によって前記切り込み２６を塞ぎつつ前記内容器２０を載置する載置手段１５、４０を備えている。【選択図】図２
2014069811.tif 000002
【特許請求の範囲】
【請求項１】
開口部を有する容器本体と、この容器本体の内部に収容され、貫通する切り込みが底部に形成されている内容器と、当該容器本体の開口部に着脱可能に取り付けられる外蓋と、を備える即席食品用容器において、
前記外蓋と容器本体には、前記切り込みと接触する接触面を有し、この接触面によって前記切り込みを塞ぎつつ前記内容器を載置する載置手段を備えていることを特徴とする即席食品用容器。
【請求項２】
前記外蓋及び容器本体には、前記内容器を載置する際に前記内容器の底部周囲を覆う凸状部を有していることを特徴とする請求項１に記載の即席食品用容器。
【請求項３】
前記容器本体の接触面は、前記容器本体の中央部に設けられ、
前記容器本体の外周部が、前記接触面よりも下方に突出して設けられており、前記内容器は、前記容器本体の外周部との間に隙間を有して前記容器本体に取り付けられることを特徴とする請求項１、又は２に記載の即席食品用容器。
【請求項４】
前記容器本体の中央部のうち前記接触面以外の面の少なくとも一部が前記外周部と平坦状になるように突出して設けられていることを特徴とする請求項３に記載の即席食品用容器。
【発明の詳細な説明】
【技術分野】
【０００１】
本発明は麺類など即席食品を収容する即席食品用容器に関し、特につけ麺類に用いられる即席食品用容器に関する。
【背景技術】
【０００２】
従来から即席食品用容器として、例えば、カップ状の容器本体と、容器本体の内部に収容され、水切りができる中蓋と、容器本体に着脱可能に取り付けられる外蓋と、を備えたものが知られている（特許文献１参照）。
【０００３】
特許文献１に示す食品容器は、主食品を中蓋に入れた後、副食品（液体）を主食品にかけて食するための食品容器であり、中蓋には水切り用の孔が形成されている。
【先行技術文献】
【特許文献】
【０００４】
【特許文献１】実開平７−３７９７７号公報
【発明の概要】
【発明が解決しようとする課題】
【０００５】
一方、つけ麺のように、茹でる作業が必要であり、且つスープや汁等の液体をかけて食べる食品では、麺ほぐしと液体づくりを別々の容器で行う必要があるものの、上述した特許文献１に示す食品容器は、すでに調理された主食品を水切りするものであるため、容器単独で茹でたりほぐしたりできる機能がなく、つけ麺を作る際に必要な、茹でる・ほぐす等、数段階にわたる調理が必要な食品には不向きである。
【０００６】
そこで、本発明は、上記問題点に鑑みてなされたものであり、その目的の一例は、長期保存食品に対応可能であって、複数の調理が必要な食品を簡単に扱える即席食品用容器を提供することである。
【課題を解決するための手段】
【０００７】
上記課題を解決するために、請求項１に記載の即席食品用容器（２）は、開口部（５）を有する容器本体（１０）と、この容器本体の内部に収容され、下方に貫通する切り込み（２６）が底部に形成されている内容器（２０）と、当該容器本体の開口部に着脱可能に取り付けられる外蓋（３０）と、を備える即席食品用容器において、前記外蓋と容器本体には、前記切り込みと接触する接触面を有し、この接触面によって前記切り込みを塞ぎつつ前記内容器を載置する載置手段（４０、１５）を備えていることを特徴とする。
【０００８】
また、請求項２に記載の即席食品用容器は、請求項１に記載の即席食品用容器において、前記外蓋及び容器本体には、前記内容器を載置する際に前記内容器の底部周囲を覆う凸状部（３６、１６）を有していることを特徴とする。
【０００９】
また、請求項３に記載の即席食品用容器は、請求項１、又は２に記載の即席食品用容器において、前記容器本体の接触面は、前記容器本体の中央部に設けられ、前記容器本体の外周部（１１ａ）が、前記接触面よりも下方に突出して設けられており、前記内容器は、前記容器本体の外周部との間に隙間（３５）を有して前記容器本体に取り付けられることを特徴とする。
【００１０】
また、請求項４に記載の即席食品用容器は、請求項３に記載の即席食品用容器において、前記容器本体の中央部のうち前記接触面以外の面の少なくとも一部（１８ａ）が前記外周部と平坦状になるように突出して設けられていることを特徴とする。
【発明の効果】
【００１１】
複数の調理が必要な長期保存食品を容易に調理し、食することができる。
【図面の簡単な説明】
【００１２】
【図１】即席食品用容器の外観を示し、図１（ａ）は斜視図、図１（ｂ）は外蓋を取り外した即席食品用容器の斜視図である。
【図２】即席食品用容器の構成を示す模式図であって、図２（ａ）は外蓋の模式図、図２（ｂ）は内容器の模式図、図２（ｃ）は容器本体の模式図である。
【図３】容器本体の外観を示す斜視図である。
【図４】内容器の平面図である。
【図５】図１（ａ）のＡ−Ａ断面図を示す模式図である。
【図６】外蓋を裏返した際の斜視図である。
【図７】外蓋に内容器を載置した時の外観を示す斜視図である。
【図８】図７のＢ−Ｂ断面図を示す模式図である。
【発明を実施するための形態】
【００１３】
以下に、本願発明の最良の実施形態を添付図面に基づいて説明する。
【００１４】
本実施形態の即席食品用容器２は、図１及び図２に示すように、容器本体１０と、その容器本体１０の内側に収容される湯切り用の内容器２０と、容器本体１０に着脱可能に取り付けられる外蓋３０と、を備えている。これら容器本体１０、内容器２０、および外蓋３０は、例えば、紙又は合成樹脂材料により成形される。
【００１５】
図２（ｃ）及び図３に示すように、容器本体１０は、底部１１と、この底部１１の外周縁から上方へ湾曲状に立ち上げられて形成された側壁部１２と、この側壁部１２の上端外周縁から外側へと張り出したフランジ部１３と、を備え、上部に開口５を有して外形が椀状に形成されている。
【００１６】
フランジ部１３の上端面には、上方に突出し平面視で湾曲状に形成された一対の湾曲突起１４、１４が対向して一体的に形成されており、この一対の湾曲突起１４、１４間には、正面視で凹部１３ａを有する。
【００１７】
また、容器本体１０の側壁部１２内面の上部周縁には、内側に突出するように段差１２ａが形成されている。
【００１８】
また、容器本体１０の底部１１内側の略中央部には、内容器２０と嵌合する内容器嵌合部１５（本願の載置手段）が形成されている。この内容器嵌合部１５は、中央部１８ａが下方に突出して形成された底面部１８を有し、その外周部分に凸状部１６が形成されている。凸状部１６は、平坦状に形成された上面部１６ａと、この上面部１６ａを挟んで、ともに下方に垂下して相対する外側壁１６ｂと内側壁１６ｃと、を備えている。この凸状部１６の内周側の形状は、図３に示すように、平行に延びる一対の直線体と、各直線体のそれぞれの両側端部同士がそれぞれ外側に膨出するようにして湾曲状に接続される湾曲線と、を備えている。
【００１９】
凸状部１６の内側壁１６ｃには、内側に突出する段差１７を有しており、この段差１７上部には、外側に突出する凹部１７ａが形成されている。この凹部１７ａは、後述する内容器２０の嵌合突起部２５に形成されている突起２８と嵌合される。
【００２０】
また、底面部１８に有する中央部１８ａは、領域を左右に区分けするようにして下方に突出し、この中央部１８ａの左右両側部分１８ｂ、１８ｃは平坦状に形成され、この左右両側部分１８ｂ、１８ｃは、後述する内容器２０の切り込み部２６と接触する接触面として機能する。なお、この中央部１８ａと左右両側部分１８ｂ、１８ｃとの境には、中央部１８ａへの水の漏れを防止するために上方へと突出する突出体が設けられていても良い。
【００２１】
この底面部１８は、接触面として機能する左右両側部分１８ｂ、１８ｃを除く中央部１８ａが底部１１の周囲底面１１ａと平坦状になるように下方に突出して形成されており、内容器２０が容器本体１０に取り付けられた際に、中央部１８ａの左右両側部分１８ｂ、１８ｃの領域のみが内容器２０と直接当接するように形成されている。そして、使用時において、液体（熱湯）が内容器２０に注がれたときには、この左右両側部分１８ｂ、１８ｃのみが高温状態となり、中央部１８ａは内容器２０と直接接触しない（隙間を有している）ため低温状態を保ち、使用者はこの中央部１８ａを把持することが可能となっている。
【００２２】
また、底面部１８の中央部１８ａを除く左右両側部分１８ｂ、１８ｃは、当該周囲底面１１ａ（本願の外周部）よりも高く形成されており、液体（熱湯）が内容器２０に注がれたときに当該熱湯の熱がほぼ直接伝達される当該左右両側部分１８ｂ、１８ｃには使用者の指が触れにくくなっており、高温部分との接触によるやけど等が未然に防止される。また、本実施形態の即席食品用容器２の使用時において、底部１１の周囲底面１１ａ及び底面部１８の中央部１８ａは直接熱湯が伝達されないため、使用者は、この周囲底面１１ａと底面部１８の中央部１８ａを把持することが可能となっている。
【００２３】
内容器２０は、図１（ｂ）、図２（ｂ）、及び図４に示すように、底部２１と、この底部２１の外周縁から上方へ拡開状に立ち上げられて形成された側壁部２２と、この側壁部２２の外周縁から外側へと張り出したフランジ部２３と、を備え、上部に開口６を有して外形がすり鉢状に形成されている。
【００２４】
このフランジ部２３には、外側へと水平に張り出した一対の突出部２３ａ、２３ａが対向して配置されるようにして一体的に設けられており、このフランジ部２３の周縁は下方に折り曲げられて補強されている。この突出部２３ａは、使用者が内容器２０を把持するための取手として機能し、例えば、内容器２０を用いて麺の湯切り作業を行う際に用いられる。
【００２５】
この内容器２０は、容器本体１０よりも一回りほど小さく成形され、側壁部２２内面の上部周縁には、内側に突出するように段差２３ｂが形成されている。この段差２３ｂは、図５に示すように、容器本体１０に内容器２０を収容した際に、容器本体１０の内壁面に形成された段差１２ａと重ね合わされるようになっており、容器本体１０との密着度を簡易な構成で高めることができる。
【００２６】
また、突出部２３ａは、図１（ｂ）に示すように、内容器２０が容器本体１０に収容された際に、当該容器本体１０の上端面と平坦状に配置されるように、容器本体１０のフランジ部１３に設けられた凹部１３ａに配置される。
【００２７】
また、内容器２０が容器本体１０よりも小さめに形成されていることにより、内容器２０が容器本体１０に収容された際に、図５に示すように、内容器２０との間に空気層としての隙間３５が形成され、この隙間によって、容器本体１０を把持した際に、内容器２０に注がれる湯の熱が直接伝達されことが防止されるとともに、断熱効果を有するようになっている。
【００２８】
また、内容器２０の底部２１内側には、段差２１ａを有して容器本体１０の内容器嵌合部１５と嵌合する嵌合突起部２５が形成されている。この嵌合突起部２５は、平面視において、図４に示すように、平行に延びる一対の直線体２５ａと、各直線体２５ａのそれぞれの両側端部同士がそれぞれ外側に膨出するようにして湾曲状に接続される湾曲線２５ｂと、を備えている。
【００２９】
また、この段差２１ａには、外側に突出する略半円状の突起２８がその周縁にわたり一体的に形成され、図５に示すように、容器本体１０の内容器嵌合部１５に形成されている凹部１７ａと嵌合される。この嵌合突起部２５の内側は、略円形状の水平面２１ｂが上方へと突出して形成されている。
【００３０】
また、この水平面２１ｂの外側周縁には、図１（ｂ）及び図４に示すように、中央から外側に向かって複数の切り込み部２６が形成されている。この切り込み部２６は、切溝線２６ａによって形成された起こし片２６ｂを有し、水平面２１ｂを挟んで対向して配置される。この切り込み部２６は、流体が内外を通過可能な通水孔としての湯切り部として機能するものであって、起こし片２６ｂの下方への曲げ量によって、湯切り量を調整可能である。
【００３１】
そして、本実施形態の即席食品用容器２は、図５に示すように、容器本体１０に内容器２０を収容した状態において、内容器嵌合部１５と嵌合突起部２５とが嵌合することで内容器１０を安定して載置させることができる。また、例えば、内容器２０に湯を注いだ際において、内容器２０に形成されている切り込み部２６が容器本体１０の底面部１８における接触面として機能する左右両側部分１８ｂ、１８ｃによって塞がれるため、湯が漏れ出すことを防止できる。さらに、その周囲に凸状部１６が設けられているため、切り込み部２６から湯が漏れ出たとしてもこの凸状部１６を超えて容器本体１０の内部に漏れることはない。
【００３２】
外蓋３０は、図１（ａ）及び図２に示すように、天板部３１と、この天板部３１の外周縁から下方に延びる側壁部３２と、を備えている。この側壁部３２の略中央部には、外側に拡開するように形成された段差３２ａを有し、下端部周縁には、内側に突出する突起体３２ｂが所定の間隔を有して複数形成されている。そして、外蓋３０を容器本体１０の開口５に被せて、この段差３２ａを内容器２０のフランジ部１３の湾曲突起１４上面に当接させ、この突起体３２ｂを容器本体１０のフランジ部１３外周縁に係合させることで、容器本体１０に着脱可能に取り付けることができる。
【００３３】
また、図６に示すように、裏返された外蓋１０の天板部３１の内側の略中央部には、内容器２０を支持する内容器支持部４０（本願の載置手段）が形成されている。この内容器支持部４０は、天板部３１の外周部に凸状部３６が設けられている。この凸状部３６は平坦状に形成された上面部３６ａと、この上面部３６ａを挟んで、ともに下方に垂下して相対する外側壁３６ｂと内側壁３６ｃと、を備えている。この内側壁３６ｃは、内側に突出する段差３７を有しており、この段差の内側は平坦状に形成された平坦面３８を有している。この凸状部３６の内周側の形状は、上述した内容器２０の嵌合突起部２５の外形と同形状に形成されている。
【００３４】
そして、本実施形態の即席食品用容器２は、図７に示すように、例えば、湯切り作業を行った後に外蓋３０に内容器２０を載置した状態において、段差３７が、内容器２０の底部２１の外側部分と当接し、嵌合突起部２５がこの内周側に配置されることで内容器２０を外蓋３０に安定して載置させることができる。また、切り込み部２６が、当該切り込み部２６と接触する接触面として機能する外蓋３０の平坦面３８によって塞がれるため、残湯が漏れ出すことを防止できる。さらに、その周囲には、凸状部３６が、内容器２０の側壁部２２下部の周囲を覆うように設けられているため、切り込み部２６から残湯が漏れ出たとしても、この残湯がこの凸状部３６を超えて内容器支持部４０の外側に漏れることはない。
【００３５】
なお、本実施形態では、内容器支持部を天板部３１の裏面に設けているが、天板部３１の表面に設けても構わない。
【００３６】
次に、本実施形態の即席食品用容器を用いた調理方法について説明する。以下に示す調理方法は一実施例であり、つけ麺の調理方法の一例である。なお、以下の説明において、麺は生麺を用い包装体に包装されているものとするが、乾麺を用いる場合には、包装体に包装されることなく内容器に直接収容されてもよい。
【００３７】
まず、外蓋３０の突起体３２ｂと容器本体１０のフランジ部１３の外周縁との係合を解き、容器本体１０から外蓋３０を取り外して、内容器２０に収容されている包装体から具材、麺つゆ用の素、及び包装体によって包装されている麺を取り出す。
【００３８】
次いで、包装体から取り出した麺を内容器２０に入れるとともに熱湯を注ぎ、容器本体１０に外蓋３０を被せて麺を茹でる。この時、内容器２０の底部２１には切り込み部２６が形成されているものの、内容器２０は容器本体１０との嵌合により当該切り込み部２６が容器本体１０の底部１１に密着して取り付けられているため、熱湯が容器本体１０の内部に漏れ出すことはない。
【００３９】
次に、麺の茹で作業終了後、外蓋３０を容器本体１０から取り外して、内側を表側にするようにして裏返し、その外蓋３０をテーブル等に載置する。そして、熱湯が注がれた内容器２０の取手として機能する突出部２３ａ、２３ａを掴み、容器本体１０から上方へと持ち上げ、この内容器２０を上下に揺り動かして麺をほぐすとともに、湯切りする。この湯切り作業により湯は、その自重で内容器２０の底部の切り込み部２６から排水される。
【００４０】
また、湯切り作業が終了した後、内容器２０は外蓋３０の内容器支持部４０に載せられる。この時、内容器２０の底部には切り込み部２６が形成されているものの、麺の自重によりこの切り込み部２６は外蓋３０の平坦面３８に密着して載置され、さらに、残湯が当該切り込み部２６から漏れ出したとしても凸状部３６によって、熱湯の漏れが防止される。
【００４１】
一方、内容器２０から排水された湯は、容器本体１０に収容される。そして、容器本体１０に収容された湯に、具材やスープの素等を入れてかき混ぜ、麺つゆが作られる。このようにして、内容器２０から麺を取り出して当該麺つゆにつけて食することが可能となる。
【００４２】
このように本実施形態の即席食品用容器２を用いることで、複数の調理（茹で・麺ほぐし・湯切り等）が必要な長期保存食品を容易に調理し、食することができる。
【００４３】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４４】
具体的には、即席食品用容器の全体が平面視において円形状に形成されているが、円形状以外の楕円形状や多角形状などであっても構わない。また、本実施形態ではつけ麺の調理手法を説明したが、その他のバリエーションとしては、お粥や鍋の調理などにも適用することができる。さらに、本実施形態の切り込み部２６は、切溝線２６ａによって形成された起こし片２６ｂで構成されているが、エンボス加工を行い、その中央部に貫通孔を形成する構成等としても構わない。
【００４５】
また、本実施形態の底面部１８は、接触面として機能する左右両側部分１８ｂ、１８ｃを除く中央部１８ａが底部１１の周囲底面１１ａと平坦状になるように下方に突出して形成されているが、中央部のうち前記接触面以外の面の少なくとも一部が底部１１の周囲底面１１ａと平坦状になるように下方に突出して形成されていれば良い。
【符号の説明】
【００４６】
２        即席食品用容器
５        開口
１０        容器本体
１５        内容器嵌合部
１６、３６  凸状部
２０        内容器
２６        切り込み部
３０        外蓋
３５        隙間
４０        内容器支持部
【図１】
2014069811.tif 000003
【図２】
2014069811.tif 000004
【図３】
2014069811.tif 000005
【図４】
2014069811.tif 000006
【図５】
2014069811.tif 000007
【図６】
2014069811.tif 000008
【図７】
2014069811.tif 000009
【図８】
2014069811.tif 000010
【手続補正書】
【提出日】平成24年10月31日(2012.10.31)
【手続補正１】
【補正対象書類名】明細書
【補正対象項目名】００３１
【補正方法】変更
【補正の内容】
【００３１】
そして、本実施形態の即席食品用容器２は、図５に示すように、容器本体１０に内容器２０を収容した状態において、内容器嵌合部１５と嵌合突起部２５とが嵌合することで内容器２０を安定して載置させることができる。また、例えば、内容器２０に湯を注いだ際において、内容器２０に形成されている切り込み部２６が容器本体１０の底面部１８における接触面として機能する左右両側部分１８ｂ、１８ｃによって塞がれるため、湯が漏れ出すことを防止できる。さらに、その周囲に凸状部１６が設けられているため、切り込み部２６から湯が漏れ出たとしてもこの凸状部１６を超えて容器本体１０の内部に漏れることはない。
【手続補正２】
【補正対象書類名】明細書
【補正対象項目名】００３２
【補正方法】変更
【補正の内容】
【００３２】
外蓋３０は、図１（ａ）及び図２に示すように、天板部３１と、この天板部３１の外周縁から下方に延びる側壁部３２と、を備えている。この側壁部３２の略中央部には、外側に拡開するように形成された段差３２ａを有し、下端部周縁には、内側に突出する突起体３２ｂが所定の間隔を有して複数形成されている。そして、外蓋３０を容器本体１０の開口５に被せて、この段差３２ａを容器本体１０のフランジ部１３の湾曲突起１４上面に当接させ、この突起体３２ｂを容器本体１０のフランジ部１３外周縁に係合させることで、容器本体１０に着脱可能に取り付けることができる。
【手続補正３】
【補正対象書類名】明細書
【補正対象項目名】００３３
【補正方法】変更
【補正の内容】
【００３３】
また、図６に示すように、裏返された外蓋３０の天板部３１の内側の略中央部には、内容器２０を支持する内容器支持部４０（本願の載置手段）が形成されている。この内容器支持部４０は、天板部３１の外周部に凸状部３６が設けられている。この凸状部３６は平坦状に形成された上面部３６ａと、この上面部３６ａを挟んで、ともに下方に垂下して相対する外側壁３６ｂと内側壁３６ｃと、を備えている。この内側壁３６ｃは、内側に突出する段差３７を有しており、この段差の内側は平坦状に形成された平坦面３８を有している。この凸状部３６の内周側の形状は、上述した内容器２０の嵌合突起部２５の外形と同形状に形成されている。